(57)【要約】【課題】簡単且つコンパクトな構成で、異なる複数の放送方式のうちひとつの放送方式の放送信号を受信することができる放送受信装置を提供する。【解決手段】或る放送方式の放送信号を受信し、復調するチューナユニット２と、チューナユニット２より出力された信号を処理する信号処理回路３と、チューナユニット２と信号処理回路３が表面に取り付けられる回路基板１とを備え、チューナユニット２と回路基板３とを接続し、チューナユニット２から出力された信号を信号処理回路３に正しく入力させる接続手段（２５、１０）を備えている放送受信装置Ａ。【選択図】図１
2011103500.tif 000002
【特許請求の範囲】
【請求項１】
異なる複数の放送方式のうち或る放送方式の放送信号を受信し、復調する異なる複数のチューナユニットの内の１つと、
前記チューナユニットより出力された信号を処理する信号処理回路と、
前記チューナユニットと前記信号処理回路が搭載される回路基板とを備えた放送受信装置であって、
前記チューナユニットと前記回路基板とを接続し、前記チューナユニットから出力された信号を前記信号処理回路に正しく入力させる接続手段を備えており、前記回路基板に搭載されるチューナユニットを入れ替えることによって、複数の放送方式に対応できることを特徴とする放送受信装置。
【請求項２】
前記接続手段はチューナユニットに備えられた複数個の第１の接続端子と、前記回路基板に形成された複数個の第２の接続端子とを有し、
前記第１の接続端子が対応する第２の接続端子に接続されるように、前記複数個の第１の接続端子及び前記複数個の第２の接続端子が配列されていることを特徴とする請求項１に記載の放送受信装置。
【請求項３】
前記複数個の第１の接続端子数と前記複数個の第２の接続端子数が同数であるチューナユニットを接続することを特徴とする請求項２に記載の放送受信装置。
【請求項４】
前記第１の接続端子の数が前記第２の接続端子の数よりも少ないチューナユニットを接続することを特徴とする請求項２又は請求項３に記載の放送受信装置。
【請求項５】
前記チューナユニットは外部からの信号が入力される外部入力コネクタを備えており、
前記複数個の第１の接続端子及び前記複数個の第２の接続端子とは、それぞれ、直線状に配列されており、
前記第１の接続端子が前記第２の接続端子よりも少ないチューナユニットを前記回路基板に接続するとき、両端に配置された第２の接続端子のうち少なくとも１つの第２の接続端子には前記第１の接続端子が接続されないことを特徴とする請求項４に記載の放送受信装置。
【請求項６】
前記複数個の第２の接続端子の配列が少なくとも２系統に分かれており、
前記チューナユニットが対応する放送方式によって、異なる系統で配列された第２の接続端子に第１の接続端子を接続することを特徴とする請求項２に記載の放送受信装置。
【請求項７】
前記複数個の第１の接続端子は２次元配列となっており、
前記複数個の第２の接続端子は前記複数個の第１の接続端子が接続できるように２次元配列となっていることを特徴とする請求項２から請求項６のいずれかに記載の放送受信装置。
【請求項８】
前記チューナユニットは外部からの信号が入力される外部入力コネクタを備えており、
前記接続手段は、前記チューナユニットと前記回路基板とを接続したとき、接続されるチューナユニットにかかわらず、前記外部入力コネクタの前記回路基板に対して常に同じ位置となるように接続することを特徴とする請求項１から請求項７のいずれかに記載の放送受信装置。
【発明の詳細な説明】
【技術分野】
【０００１】
放送方式にあわせたチューナユニットを取り替えることで、その放送方式の放送信号に対応できる放送受信装置に関するものである。
【背景技術】
【０００２】
例えばＴＶ放送は、近年、各国で地上デジタル放送が開始され、従来のアナログ放送からの切り換えが進みつつある。切り換えが行われる間は、アナログ放送とデジタル放送とが同時に送信されており、アナログ放送とデジタル放送のどちらかを受信できる受信装置が増えている（例えば、特許文献１）。
【０００３】
また、アナログ放送とデジタル放送の両方を受信できる放送受信装置も増えている。このような放送受信装置は、基板と、前記基板に実装され、放送信号を受信し、中間周波（Intermediate Frequency：ＩＦ）信号及び前記ＩＦ信号を復調したアナログの映像信号（Csync Video Black/white Signal：ＣＶＢＳ）とアナログ音声（Sound Intermediate Frequency：ＳＩＦ）信号（いずれも中間周波信号）を生成するチューナ回路と、チューナ回路より出力されたＩＦ信号を復調しトランスポートストリーム（Transport Stream：ＴＳ）信号を生成するデジタル復調回路と、前記チューナ回路及び（又は）前記デジタル復調回路から送られてくるＣＶＢＳ／ＳＩＦ信号又はＴＳ信号を処理し放送受信装置が内蔵された機器の内部信号を出力する信号処理回路とを備えている。この放送受信装置が内蔵された機器として、例えば、ＴＶ受像機やＤＶＤレコーダ等を挙げることができる。
【０００４】
現在、地上アナログ放送及び地上デジタル放送は、国又は地域によって放送方式が異なっている。放送方式が異なると、放送信号、復調方式等が異なる。従来は、仕向け地ごとに異なる放送方式に対応した回路（チューナ回路、デジタル復調回路、信号処理回路等）を備えた放送受信装置を別途製造し、出荷していた。
【先行技術文献】
【特許文献】
【０００５】
【特許文献１】特開２００８−９９１５１号公報
【特許文献２】特開２００３−２３００６０号公報
【発明の概要】
【発明が解決しようとする課題】
【０００６】
しかしながら、従来の放送受信装置の場合、放送方式ごとに前記基板を含めて回路全体を別々に設計し、それぞれの放送方式に対応した放送受信装置（基板を含めて）をそれぞれ別々に製造しており、設計及び製造の効率が悪いという問題があった。
【０００７】
また、複数の放送方式に対応したチューナ回路及びデジタル復調回路を備えた構成の放送受信装置（例えば特許文献２）もあるが、或る放送方式の放送信号を受信しているときは、その他の放送方式に対応するチューナ回路及びデジタル復調回路は使用されず、無駄が多くなってしまう。また、チューナ回路やデジタル復調回路等の基板に実装される部品が多くなると、基板上に形成される配線が複雑になり、基板が大きくなる。
【０００８】
そこで本発明は、簡単且つコンパクトな構成で、異なる複数の放送方式のうちひとつの放送方式の放送信号を受信することができる放送受信装置を提供することを目的とする。
【課題を解決するための手段】
【０００９】
上記目的を達成するために本発明は、異なる複数の放送方式のうち或る放送方式の放送信号を受信し、復調する異なる複数のチューナユニットの内の１つと、前記チューナユニットより出力された信号を処理する信号処理回路と、前記チューナユニットと前記信号処理回路が搭載される回路基板とを備えた放送受信装置であって、前記チューナユニットと前記回路基板とを接続し、前記チューナユニットから出力された信号を前記信号処理回路に正しく入力させる接続手段を備えており、前記回路基板に搭載されるチューナユニットを入れ替えることによって、複数の放送方式に対応できることを特徴とする。
【００１０】
この構成によると、対応する放送方式にかかわらずチューナユニットから出力された信号が信号処理回路に正しく入力されるように、前記チューナユニットと前記回路基板とが接続される。このことにより、前記回路基板及び前記信号処理回路はそのままで、前記チューナユニットを変更するだけで、各放送方式に対応する放送受信装置を製造することができる。
【００１１】
これにより、前記回路基板及び前記信号処理回路は複数の放送方式で共通化することができるので、設計及び製造の効率が上がる。また、回路基板及び信号処理回路は仕向け地ごとに在庫しなくてもよく、このことからも、製造の効率が上がる。
【００１２】
上記構成において、前記接続手段はチューナユニットに備えられた複数個の第１の接続端子と、前記回路基板に形成された複数個の第２の接続端子とを有し、前記第１の接続端子が対応する第２の接続端子に接続されるように、前記複数個の第１の接続端子及び前記複数個の第２の接続端子が配列されていてもよい。
【００１３】
上記構成において、前記複数個の第１の接続端子数と前記複数個の第２の接続端子数が同数であるチューナユニットを接続していてもよい。
【００１４】
上記構成において、前記第１の接続端子の数が前記第２の接続端子の数よりも少ないチューナユニットを接続するようになっていてもよい。
【００１５】
この構成によると、最も端子数を必要とする放送方式にあわせて第２の接続端子を形成しておくことで、多くの放送方式のチューナユニットを回路基板に実装することが可能である。
【００１６】
上記構成において、前記チューナユニットは外部からの信号が入力される外部入力コネクタを備えており、前記複数個の第１の接続端子及び前記複数個の第２の接続端子とは、それぞれ、直線状に配列されており、前記第１の接続端子が前記第２の接続端子よりも少ないチューナユニットを前記回路基板に接続するとき、両端に配置された第２の接続端子のうち少なくとも１つの第２の接続端子には前記第１の接続端子が接続されないようになっていてもよい。
【００１７】
上記構成において、前記複数個の第２の接続端子の配列が少なくとも２系統に分かれており、前記チューナユニットが対応する放送方式によって、異なる系統で配列された第２の接続端子に第１の接続端子を接続するようにしてもよい。
【００１８】
上記構成において、前記複数個の第１の接続端子は２次元配列となっており、前記複数個の第２の接続端子は前記複数個の第１の接続端子が接続できるように２次元配列となっているものであってもよい。
【００１９】
上記構成において、前記チューナユニットは外部からの信号が入力される外部入力コネクタを備えており、前記接続手段は、前記チューナユニットと前記回路基板とを接続したとき、接続されるチューナユニットにかかわらず、前記外部入力コネクタの前記回路基板に対して常に同じ位置となるように接続してもよい。
【発明の効果】
【００２０】
本発明によると、簡単且つコンパクトな構成で、異なる複数の放送方式のうちひとつの放送方式の放送信号を受信することができる放送受信装置を提供することができる。
【図面の簡単な説明】
【００２１】
【図１】本発明にかかる放送受信装置の一例の概略斜視図である。
【図２】図１に示す放送受信装置のブロック図である。
【図３】本発明にかかる放送受信装置の一例のＴＶ基板とチューナユニットとの接続を示す図である。
【図４】本発明にかかる放送受信装置の他の例の接続端子と端子孔の対応を示す図である。
【図５】本発明にかかる放送受信装置のさらに他の例の接続端子と端子孔の対応を示す図である。
【図６】本発明にかかる放送受信装置のさらに他の例の接続端子と端子孔の対応を示す図である。
【図７】本発明にかかる放送受信装置のさらに他の例の接続端子と端子孔の対応を示す図である。
【図８】本発明にかかる放送受信装置のさらに他の例の接続端子と端子孔の対応を示す図である。
【発明を実施するための形態】
【００２２】
以下に本発明の実施形態を図面を参照して説明する。図１は本発明にかかる放送受信装置の一例の概略斜視図であり、図２は図１に示す放送受信装置のブロック図である。なお、図１及び図２に示す放送受信装置は、地上アナログ放送及び地上デジタル放送を受信することができるＴＶ放送受信装置である。なお、本発明にかかる放送受信装置は異なる放送方式の放送信号を受信するものであり、以下の説明では、便宜上、２つの放送方式を例に説明するが、放送方式の種類は２つに限定されるものではない。また、異なる放送方式とは、アナログ放送同士及びデジタル放送同士の国又は地域が異なることによる放送方式の差異を示している、以下、特に記載しない限り同様である。
【００２３】
図１、図２に示すように、放送受信装置Ａは、メインの回路基板であるＴＶ基板１と、ＴＶ基板１に取り付けられたチューナユニット２と、ＴＶ基板１に実装され、チューナユニット２より送られてくる信号を処理する信号処理回路３とを備えている。図１に示すように、ＴＶ基板１には、直線状に配列された８個の端子孔１０（第２の接続端子）が形成されている。
【００２４】
図１に示すように、チューナユニット２は、チューナ基板２１をシールドケース２０で囲んだ構成を有している。シールドケース２０にはアンテナ線（不図示）が接続される外部入力コネクタ２２が備えられている。なお、この外部入力コネクタ２２は地上波のＴＶ放送を受信するためのアンテナ（図示省略）に接続されているものであり、アナログ放送及びデジタル放送で共用される。本例のチューナユニット２では、外部入力コネクタ２２が１個であるが、それに限定されるものではなく、上述のような地上波の放送信号が入力されるものに加えて、ＢＳ／ＣＳ等の衛星放送信号が入力されるものや、ケーブル放送の放送信号が入力されるものが備えられていてもよい。
【００２５】
また、チューナ基板２１には、アナログチューナ回路２３とデジタル復調回路２４とが実装されている。アナログチューナ回路２３は高周波のＲＦ信号を中間周波のＩＦ信号に変換するミキサー回路２３１と、ＩＦ信号を基にＣＶＢＳ（アナログ映像信号）及びＳＩＦ信号（アナログ音声信号）に復調するアナログ復調回路２３２とを有している。また、アナログチューナ回路２３は受信された放送信号がデジタル放送用の放送信号の場合、変換されたＩＦ信号をデジタル復調回路２４に送る。ＩＦ信号はデジタル復調回路２４でＴＳ信号に復調される。なお、本実施形態では、ミキサー回路２３１とアナログ復調回路２３２とがワンチップのアナログチューナ回路２３に含まれているものを採用しているが、それぞれ別のチップ或いは回路で構成されていてもよい。
【００２６】
図１に示すように、チューナ基板２１は、８本の接続端子２５（第１の接続端子）を備えている。チューナユニット２は接続端子２５をＴＶ基板１に形成されている８個の端子孔１０に差し込むことで、ＴＶ基板１に取り付けられる。なお、接続端子２５は端子孔１０に収まるよう、端子孔１０の配列と対応して配列されている。なお、詳細については後述する。
【００２７】
接続端子２５と端子孔１０とがＴＶ基板１とチューナユニット２とを接続する接続手段を構成している。なお、端子孔１０はＴＶ基板１に形成されているプリント配線を貫通しており、接続端子２５とプリント配線とは、半田付け等の公知の接続方法で電気的に接続されている。
【００２８】
チューナユニット２の接続端子２５にはそれぞれ異なる信号が流れるように形成されている。接続端子２５には、電源、グランド、ＣＶＢＳ、ＳＩＦ信号、ＩＦ信号、ＴＳ信号、制御信号等の各信号の出力及び（又は）入力が割り当てられている。
【００２９】
なお、制御信号は各チャンネル選局情報（周波数）をアナログチューナ回路２３に送ったり、ＴＳ信号の誤り訂正情報をデジタル復調回路２４に送ったりするための信号である。すなわち、制御信号はチューナユニットの状態をモニタしたり、受信の条件を送ったりする信号である。なお、制御信号をやり取りするためのものとしてＩ２Ｃバスと呼ばれるものがよく用いられているが、これに限定されるものではない。
【００３０】
チューナユニット２の接続端子２５をそれぞれ適切な端子孔１０に差し込みプリント配線と接続することで、チューナユニット２から出力される各信号を、信号処理回路３内の信号を処理するための各回路に送ることが可能となる。例えば、ＴＳ信号を出力する接続端子はプリント配線を介して、信号処理回路３のＭＰＥＧ２デコーダ回路に接続される。
【００３１】
信号処理回路３について詳しく説明する。信号処理回路３は、トランスポートストリームプロセッサ、ＭＰＥＧ２デコーダ、オーディオプロセッサ、パネルプロセッサ等の映像、音声信号を処理する処理回路をひとつにまとめた処理回路である。なお、信号処理回路３は、予め複数の放送方式に対応することができる複数の処理回路を備えていてもよく、プログラマブルロジック回路を備えた構成であってもよい。また、プログラマブルロジック回路を用いる場合、各放送方式にあわせて設計された処理回路をメモリに格納しておき、放送方式にあわせて処理回路を呼び出すようにしてもよく、チューナユニット２を取り付けるときに、チューナユニット２が対応している放送方式の放送信号を処理できる処理回路をメモリ等の記憶部に記憶させるようにしてもよい。
【００３２】
次に異なる放送方式に対応したチューナユニットを共通のＴＶ基板へ取り付ける場合について図面を参照して説明する。なお、以下の説明では、便宜上、２つの異なる放送方式を受信するための放送受信装置について説明する。
【００３３】
＜第１の実施形態＞
図３は本発明にかかる放送受信装置の一例のＴＶ基板とチューナユニットとの接続を示す図である。図３に示す放送受信装置Ａは、チューナユニットとＴＶ基板の端子孔を模式的に示している。放送受信装置Ａは第１の放送方式の放送信号を受信する第１チューナユニット２Ａと第２の放送方式の放送信号を受信する第２チューナユニット２Ｂとを取り付けることが可能な構成である。
【００３４】
図３に示すように、ＴＶ基板１には８個の端子孔１０（第２の接続端子）が直線状に並んで形成されている。端子孔１０を挟んで図中上側に第１の放送方式の放送を受信するための第１チューナユニット２Ａが、下側に第２の放送方式の放送を受信するための第２チューナユニット２Ｂが配置されている。なお、図３では、説明のために、第１チューナユニット２Ａは接続端子２５ａ（第１の接続端子）が下向きに、第２チューナユニット２Ｂは接続端子２５ｂ（第１の接続端子）が上向きに示されているが、これは、接続端子と端子孔の対応を示すものであり、実際の取り付け状態とは異なる。実際には、第１チューナユニット２Ａ、第２チューナユニット２Ｂ共にＴＶ基板１の同じ面側から複数個の端子孔１０に複数本の接続端子２５ａ、２５ｂを挿し込んで取り付けられる（図１参照）。
【００３５】
まず、放送受信装置Ａが第１の放送方式を受信する場合について説明する。図３に示すようにＴＶ基板１の端子孔は左から、電源用端子孔１０１、グランド用端子孔１０２、Ｉ２Ｃバス用端子孔１０３、１０４、アナログ映像信号（ＣＶＢＳ）用端子孔１０５、音声中間周波（ＳＩＦ）信号用端子孔１０６、中間周波（ＩＦ）信号用端子孔１０７、トランスポートストリーム（ＴＳ）信号用端子孔１０８である。
【００３６】
一方、第１の放送方式を受信するための第１チューナユニット２Ａには端子孔１０（１０１〜１０８）と同数、すなわち、８個の接続端子２５ａ（２５１ａ〜２５８ａ）が備えられている。接続端子２５ａは、電源用端子２５１ａ、グランド用端子２５２ａ、Ｉ２Ｃバス用の接続端子２５３ａ、２５４ａ、ＣＶＢＳ用端子２５５ａ、ＳＩＦ信号用端子２５６ａ、ＩＦ信号用端子２５７ａ、ＴＳ信号用端子２５８ａである。
【００３７】
ＴＶ基板１では、電源用端子孔１０１とグランド用端子孔１０２とが他の端子孔１０に対して離れて形成されている。このように構成することで、電源用端子孔１０１に電源用端子２５１ａ、グランド用端子孔１０２にグランド用端子２５２ａを挿入するように、チューナユニット２ＡをＴＶ基板１に装着したときのみ、他の接続端子もそれぞれ対応する端子孔に正しく挿入される。これにより、電源用端子孔１０１に電源用端子２５１ａ以外の接続端子が挿入されたり、チューナユニットを間違った向きに取り付けてしまったり等のチューナユニット２ＡをＴＶ基板１の誤った位置に取り付けるのを抑制することができる。
【００３８】
接続端子２５ａの各接続端子２５１ａ〜２５８ａを、端子孔１０の各端子孔１０１〜１０８のそれぞれに対応する端子孔に挿し込むことで、第１チューナユニット２ＡをＴＶ基板１に接続する。このように、各端子孔１０１〜１０８に対応した接続端子２５１ａ〜２５８ａが挿し込まれることで、第１チューナユニット２Ａからの各信号（主に、データ信号）が信号処理回路３の対応した処理回路に正確に送信される。また、信号処理回路３からの信号（主に制御信号）も、第１チューナユニット２Ａの目的の部分に正確に送信される。ＴＶ基板１の端子孔１０に接続端子２５ａを取り付けることで、放送受信装置Ａは第１の放送方式の放送信号を受信することができる。
【００３９】
一方、第２チューナユニット２Ｂも８個の接続端子２５ｂ（２５１ｂ〜２５８ｂ）を備えている。接続端子２５ｂ（２５１ｂ〜２５８ｂ）を端子孔１０（１０１〜１０８）に挿し込んで、第２チューナユニット２ＢをＴＶ基板１に取り付けている。なお、第２チューナユニット２Ｂの接続端子２５Ｂの配列は端子孔１０の配列と対応しており、第１チューナユニット２Ａと同じ配列になっている。第２チューナユニット２Ｂも第１チューナユニット２Ａ同様、誤りなく取り付けることができ、放送受信装置Ａは第２の放送方式の放送信号を受信することができる。
【００４０】
上述したように、接続端子の本数、位置及びその対応する信号を統一することで、第１チューナユニット２Ａと第２チューナユニット２Ｂのいずれか一方を共通のＴＶ基板１に取り付けることが可能である。すなわち、放送方式にかかわらず、ＴＶ基板１を共通化することが可能である。また、上述しているように、信号処理回路３も共用可能なものを用いているので、放送受信装置Ａは、チューナユニット２を放送方式にあわせて選択し、取り付けることで、異なる放送方式の放送信号を受信することができる。
【００４１】
＜第２の実施形態＞
図４は本発明にかかる放送受信装置の他の例の接続端子と端子孔の対応を示す図である。図４に示す放送受信装置Ｂは、チューナユニットとＴＶ基板の端子孔を模式的に示している。図４に示す放送受信装置Ｂは第１の放送方式の放送信号に対応する第１チューナユニット２Ａと、第３の放送方式の放送信号に対応する第３チューナユニット２Ｃとのいずれか一方を選択して取り付けることができる。
【００４２】
第１チューナユニット２Ａは、図３に示す放送受信装置Ａと同じ構成を有するものであり、ここでは詳細な説明を省略する。第１チューナユニット２ＡをＴＶ基板１に取り付けることで、放送受信装置Ｂは、第１の放送方式の放送信号を受信することが可能である。
【００４３】
次に、第３の放送方式の放送信号を受信するための第３チューナユニット２ＣをＴＶ基板１に取り付ける場合について説明する。図４に示すように、第３チューナユニット２Ｃは、接続端子２５ｃ（第１の接続端子）にＩ２Ｃバス用の接続端子を２５３ｃの１本だけ備えており、第１チューナユニット２Ａに比べて１本少ない７本の接続端子を有している。第３チューナユニット２Ｃを電源用端子２５１ｃ、グランド用端子２５２ｃを、それぞれ、電源用端子孔１０１、グランド用端子孔１０２に重ねることで、残りの接続端子を対応した端子孔と重なるように配置することができ、各接続端子を端子孔に挿し込むことで対応した接続端子と端子孔とを接続することができる。
【００４４】
このように、使用される接続端子と端子孔との間でやり取りされる信号をチューナユニットの接続端子数に関係なく共通化することで、異なる接続端子数のチューナユニットでＴＶ基板を共用することができる。
【００４５】
なお、本実施形態では、第１チューナユニット２Ａとして、接続端子数がＴＶ基板１の端子孔１０の数と同じものを挙げているが、第１チューナユニット２Ａの接続端子数も端子孔の数よりも少なく形成されているものであってもよい。また、例えば、地上アナログ放送の送信が終了した国（地域）用の放送受信装置の場合、チューナユニットにアナログ映像信号及び音声信号の出力用の接続端子は不要であり、省略されていてもよい。このような、アナログ出力用の接続端子が省略されているチューナユニットであっても、のこりの接続端子（電源、グランド、Ｉ２Ｃ、ＩＦ、ＴＳ）を端子孔と正確に対応させることで、ＴＶ基板１に取り付けることができる。デジタル放送が開始されていない国（地域）用の放送受信装置にもアナログ出力用の接続端子を端子孔に正確に対応させることで、ＴＶ基板１を共用することができる。
【００４６】
＜第３の実施形態＞
本発明にかかる放送受信装置のＴＶ基板へのチューナユニットの取り付け方法のさらに他の例について図面を参照して説明する。図５は本発明にかかる放送受信装置のさらに他の例の接続端子と端子孔の対応を示す図である。図５に示す放送受信装置Ｃは、チューナユニットとＴＶ基板の端子孔を模式的に示している。図５に示す放送受信装置Ｃは第４の放送方式の放送信号に対応する第４チューナユニット２Ｄと、第５の放送方式の放送信号に対応する第５チューナユニット２Ｅとのいずれか一方を選択して取り付けることができる。
【００４７】
図５に示すように、放送受信装置ＣのＴＶ基板１は８個の端子孔１１（第２の接続端子）を備えている。端子孔１１は中央に電源用端子孔１１１、グランド用端子孔１１２、図中左側はアナログ信号（映像、音声）用の端子孔１１５、１１６が配置されており、右側には中間周波用とデジタル信号用の端子孔１１７、１１８が配置されている。そして、両端に配置された端子孔はＩ２Ｃバス用の端子孔１１３、１１４である。
【００４８】
第４チューナユニット２Ｄの接続端子２５ｄ（第１の接続端子）は、図中右端にＩ２Ｃバス用端子孔１１４と対応するＩ２Ｃバス用端子２５４ｄを備え、全部で７本の接続端子を備えている。図５に示すように、第４チューナユニット２Ｄは、図中右端に配置されているＩ２Ｃバス用端子２５４ｄをＩ２Ｃバス用端子孔１１４に挿し込むようにＴＶ基板１に取り付けられる。これにより、残りの接続端子は対応する端子孔に挿し込まれる。第４チューナユニット２Ｄは図中左端の端子孔１１３に挿入される接続端子がなく、端子孔１１３は空いたままである。なお、図示しているように、接続端子及び端子孔は等間隔に配置されているわけではなく、右端の接続端子２５４ｄを右端の端子孔１１４に重ねたときだけ、残りの接続端子を端子孔に挿し込むことができる。
【００４９】
一方、第５チューナユニット２Ｅの接続端子２５ｅ（第１の接続端子）は、図中左端に端子孔１１３と対応するＩ２Ｃバス用端子２５３ｅを備え、全部で７本の接続端子を備えている。図５に示すように、第５チューナユニット２Ｅは、図中左端に配置されているＩ２Ｃバス用端子２５３ｅをＩ２Ｃバス用端子孔１１３に挿し込むようにＴＶ基板１に取り付けられる。第５チューナユニット２Ｅは図中右端の端子孔１１４に挿入される接続端子がなく、端子孔１１４は空いたままである。なお、図示しているように、接続端子及び端子孔は等間隔に配置されているわけではないので、左端の接続端子２５３ｅを右端の端子孔１１４に重ねたときだけ、残りの接続端子を端子孔に挿し込むことができるように形成されている。
【００５０】
第４チューナユニット２Ｄを取り付けたときはＩ２Ｃバス用端子孔１１３が、第５チューナユニット２Ｅを取り付けたときはＩ２Ｃバス用端子孔１１４が空いた状態になっている。すなわち、第４チューナユニット２Ｄ及び第５チューナユニット２Ｅは、それぞれ、Ｉ２Ｃバスが１本ずつ必要な構成である。このとき、信号処理回路３が端子孔１１３からの信号を受信できないとき、第４チューナユニット２Ｄが取り付けられていると判断し、逆の場合、１１４からの信号を受信できない場合、第５チューナユニット２Ｅが取り付けられていると判断する回路を備えていてもよい。
【００５１】
このように、使用される接続端子と端子孔との間でやり取りされる信号を共通化することで、異なる接続端子数のチューナユニットでＴＶ基板を共用することができる。これにより、接続端子の配置位置の自由度が上がるので、チューナユニットの設計の自由度を上げることができる。
【００５２】
以上示した各実施形態では、接続端子を端子孔に挿し込むとき、隣り合う接続端子同士及び端子孔同士の距離が常に一定ではないので、チューナユニットをＴＶ基板に取り付けるとき、接続端子と端子孔は必ず一対一で対応する。このように接続端子と端子孔を構成することで、チューナユニットを変えた場合であっても、外部入力コネクタ２２をＴＶ基板１に対して常に一定の位置とすることができる。これにより、放送受信装置が内蔵される機器（例えば、ＴＶ受像機、光ディスク装置等）の筐体の形状を、放送方式にかかわらず共通化することが可能である。
【００５３】
以上示した各実施形態において、隣り合う端子孔同士の間隔は一部異なるように形成されているが、これに限定されるものではなく、全ての隣り合う端子孔同士が同じ間隔となるように形成されていてもよく、異なるように形成されていてもよい。
【００５４】
＜第４の実施形態＞
本発明にかかる放送受信装置のＴＶ基板へのチューナユニットの取り付け方法のさらに他の例について図面を参照して説明する。図６は本発明にかかる放送受信装置のさらに他の例の接続端子と端子孔の対応を示す図である。図６に示す放送受信装置Ｄは、チューナユニットとＴＶ基板の端子孔を模式的に示している。図６に示す放送受信装置Ｄは第６の放送方式の放送信号に対応する第６チューナユニット２Ｆと、第７の放送方式の放送信号に対応する第７チューナユニット２Ｇとのいずれか一方を選択して取り付けることができる。
【００５５】
図６に示すように、ＴＶ基板１の８個の端子孔１２（第２の接続端子）は、隣り合う端子孔１２同士の間隔が全て同じになるように、直線状に配置されている。第６チューナユニット２Ｆの接続端子２５ｆ（第１の接続端子）は図中右端の接続端子２５４ｆがＴＶ基板１の図中右端の端子孔１２４に挿入されるように配置されている。一方、第７チューナユニット２Ｇの接続端子２５ｇ（第１の接続端子）は図中左端の接続端子２５３ｇがＴＶ基板１の図中左端の端子孔１２３に挿入されるように配置されている。
【００５６】
また、第６チューナユニット２Ｆと第７チューナユニット２ＧとはＩ２Ｃバス用端子が異なるが、それら以外の接続端子の個数及びその配列位置は同じになるように形成されている。第６チューナユニット２Ｆの接続端子２５ｆを端子孔１２に正しく挿し込むことで、外部入力コネクタ２２ｆが図中右側に、第７チューナユニット２Ｇの接続端子２５ｇを端子孔１２に正しく挿し込むことで外部入力コネクタ２２ｇが図中左側にずれる。
【００５７】
このように外部入力コネクタ２２ｆ、２２ｇがずれて取り付けられることで、製造者及び（又は）使用者はＴＶ基板にチューナユニットが取り付けられた放送受信装置Ｄが、第６の放送方式の放送信号を受信するものであるか、第７の放送方式の放送信号を受信するものであるかを視認によって判別することができる。これにより、放送受信装置が内蔵される機器に誤った放送方式用の放送受信装置を取り付ける失敗を抑制することが可能である。なお、本実施形態では、接続端子の数が端子孔の数に対して１個少ないものを挙げて説明しているが、１個に限定されるものではなく、２個或いはそれ以上少ないものであってもかまわない。また、一方のチューナユニットの接続端子の数が端子孔の数と同数であってもよい。
【００５８】
＜第５の実施形態＞
本発明にかかる放送受信装置のＴＶ基板へのチューナユニットの取り付け方法のさらに他の例について図面を参照して説明する。図７は本発明にかかる放送受信装置のさらに他の例の接続端子と端子孔の対応を示す図である。図７に示す放送受信装置Ｅは、チューナユニットとＴＶ基板の端子孔を模式的に示している。図７に示す放送受信装置Ｅは第１の放送方式の放送信号に対応する第１チューナユニット２Ａと、第２の放送方式の放送信号に対応する第２チューナユニット２Ｂとのいずれか一方を選択して取り付けることができる。
【００５９】
放送受信装置Ｅには、第１チューナユニット２Ａの接続端子２５ａ（第１の接続端子）が挿入される８個の端子孔１０（第２の接続端子）と、第２チューナユニット２Ｂの接続端子２５ｂ（第１の接続端子）が挿入される８個の端子孔１３（第２の接続端子）が形成されている。８個の端子孔１０及び８個の端子孔１３はそれぞれ直線状に並んで配置されており、端子孔１０と端子孔１３の配列方向は平行となっている。すなわち、ＴＶ基板１は異なる２系統の端子孔を備えている。
【００６０】
放送受信装置Ｅでは、第１チューナユニット２Ａと第２チューナユニット２Ｂとを取り付けるときに、接続端子は異なる系統の端子孔に挿入されるようにＴＶ基板１は形成されている。このことにより、第１チューナユニット２Ａと第２チューナユニット２Ｂとの接続端子の順序を異なるものとすることができるので、チューナユニット自体の設計の自由度が高くなる。これにより、チューナユニットの内部基板の配線を最適化することができるので、チューナユニットを小型化することが容易である。
【００６１】
なお、本実施形態では、端子孔と接続端子の数が同じもので説明しているが、接続端子の数が端子孔の数よりも少ないチューナユニットを用いるものであってもよい。また、端子孔として端子孔１０と端子孔１３との２系列を備えているものを例に説明しているが、これに限定されるものではなく、３系列以上備えているものであってもよい。また、本実施形態の端子孔１０と１３とはそれぞれ独立した系統の配列になっているが、一部の端子孔が共通となるように（例えば、直線状の配列が交差する）構成となっていてもよい。
【００６２】
＜第６の実施形態＞
本発明にかかる放送受信装置のＴＶ基板へのチューナユニットの取り付け方法のさらに他の例について図面を参照して説明する。図８は本発明にかかる放送受信装置のさらに他の例の接続端子と端子孔の対応を示す図である。図８に示す放送受信装置Ｆは、チューナユニットとＴＶ基板の端子孔を模式的に示している。図８に示す放送受信装置Ｆは第８チューナユニット２Ｈを取り付けることができる構成を有している。
【００６３】
図８に示すように、ＴＶ基板１は、二次元的に配列された８個（４×２）の端子孔１４（第２の接続端子）を備えており、第８チューナユニット２Ｈは端子孔１４に挿し込むことができる位置に配列された８個の接続端子２５ｈ（第１の接続端子）を備えている。
【００６４】
接続端子２５ｈ及び端子孔１４を二次元的に配列することで、接続端子の配列方向の長さを短くすることができ、一次元的に配列されているものに比べて、接続端子を端子孔に挿し込みやすい。また、接続端子が二次元的に配列されるので、１次元的に配列されているものに比べて接続端子の配列方向と直交する方向への負担が少なくなり、チューナユニットの破損を抑制することができる。
【００６５】
上述した実施形態では、接続手段として接続端子がＴＶ基板に直接形成されている端子孔に挿し込まれ半田付け等でＴＶ基板の表面に形成されている配線に電気的に接続されているものを挙げて説明しているが、これに限定されるものではなく、チューナユニットの接続端子をＴＶ基板上に形成された端子孔が無い接続ランド（基板の配線パターン）に半田付け等で接続してもよい。または、チューナユニットの接続端子をばね等の力で着脱可能に保持できるソケット等の保持部材を介してＴＶ基板に接続する構成としてもよい。また、接続端子（端子孔）の数及び接続端子（端子孔）の各信号の割り当てについても、これに限定されるものではない。
【００６６】
また、上述した各実施形態では、異なる２種類の放送方式のいずれかに対応したチューナユニットを共通のＴＶ基板に接続するものを挙げて説明しているが、これに限定されるものではなく、３種類或いはそれ以上の放送方式のチューナユニットを共通のＴＶ基板に接続するようにしてもよい。この場合、上述した実施形態のいずれかの方法を用いてもよく、複数の方法を組み合わせてもよい。
【産業上の利用可能性】
【００６７】
本発明は、例えばＴＶ受像機やディスク装置（ＢＤ、ＤＶＤ）等の内部に配置され、アナログ放送及びデジタル放送を受信するための放送受信装置として利用することができる。
【符号の説明】
【００６８】
１  ＴＶ基板
１０  端子孔
１０１  端子孔
１０２  端子孔
１０３  端子孔
１０４  端子孔
１０５  端子孔
１０６  端子孔
１０７  端子孔
１０８  端子孔
１１  端子孔
１１１  端子孔
１１２  端子孔
１１３  端子孔
１１４  端子孔
１１５  端子孔
１１６  端子孔
１１７  端子孔
１１８  端子孔
１２  端子孔
１２３  端子孔
１２４  端子孔
１３  端子孔
１４  端子孔
２  チューナユニット
２Ａ  第１チューナユニット
２Ｂ  第２チューナユニット
２Ｃ  第３チューナユニット
２Ｄ  第４チューナユニット
２Ｅ  第５チューナユニット
２Ｆ  第６チューナユニット
２Ｇ  第７チューナユニット
２Ｈ  第８チューナユニット
２０  シールドケース
２１  チューナ基板
２２  外部入力コネクタ
２３  アナログチューナ回路
２４  デジタル復調回路
２５  接続端子
３  信号処理回路
【図１】
2011103500.tif 000003
【図２】
2011103500.tif 000004
【図３】
2011103500.tif 000005
【図４】
2011103500.tif 000006
【図５】
2011103500.tif 000007
【図６】
2011103500.tif 000008
【図７】
2011103500.tif 000009
【図８】
2011103500.tif 000010